(57)【要約】  【課題】  塵埃の叩き出しと共に捕集が可能であり、掃除か所を選ばずに簡便に使用でき、効果的な掃除を可能とする掃除具を提供する。  【解決手段】  把手21を備える基台２の上面に、可撓性を有する叩き棒として、各複数本の粘着棒３，３…及びブラシ棒４，４…を取り付けて掃除具１を構成する。複数の粘着棒３は、粘着性を有する樹脂製の棒材として構成された粘着部を、表面の一部に露出するように備えており、把手21を把持して基台２と共に振り動かされる粘着棒３，３…及びブラシ棒４，４…により掃除か所を叩き、叩き出された塵埃を粘着棒３，３…の表面に露出する粘着部に粘着捕集する。【選択図】      図１                                                            
2005111183.tif 000002
【特許請求の範囲】
【請求項１】
把手を備える基台上に可撓性を有する複数本の叩き棒を取付けてなり、前記把手を把持して前記基台と共に振り動かされる前記叩き棒により掃除か所を叩き、該掃除か所に付着堆積する塵埃を叩き出すべく用いられる掃除具において、
前記叩き棒の少なくとも一部は、粘着性を有する粘着部を外表面に露出させてある粘着棒としてあることを特徴とする掃除具。
【請求項２】
前記粘着部は、前記粘着棒の外表面の複数か所に開口する窓孔から露出させてある請求項１記載の掃除具。
【請求項３】
前記粘着部は、前記窓孔の開口縁から段落ちされた露出面を備える請求項２記載の掃除具。
【請求項４】
前記粘着棒は、前記基台上に複数列に並べ、各列の粘着部の露出域を長さ方向にオーバラップさせて取付けてある請求項１乃至請求項３のいずれかに記載の掃除具。
【請求項５】
前記粘着棒は、夫々の軸心回りでの回転可能に前記基台上に取り付けてある請求項１乃至請求項４のいずれかに記載の掃除具。
【請求項６】
前記叩き棒の残部は、先端にブラシ毛が植設されたブラシ棒としてある請求項１乃至請求項５のいずれかに記載の掃除具。
【請求項７】
前記基台の内部に収納され、該基台の振り動きに伴って相互に接触し、静電気を発生する複数の樹脂ブロックを備える請求項１乃至請求項６のいずれかに記載の掃除具。
【発明の詳細な説明】
【技術分野】
【０００１】
本発明は、室内の掃除に用いられる掃除具に関し、更に詳しくは、掃除か所に堆積する塵埃を叩き落としつつ捕集する掃除具に関する。
【背景技術】
【０００２】
室内掃除用の掃除具として古来から使用されている「はたき」は、棒状をなす把手の先端に、布、毛等の柔軟性を有する叩き片を多数取付けてなり、前記把手を把持してなされる振り操作により先端の叩き片を掃除か所に叩きつけ、この掃除か所に堆積する塵埃を叩き落とすようにしたものである。
【０００３】
このような「はたき」は、床，天井のコーナ、窓，障子の桟及びレール、各種家具の表面、室内に置かれた観葉植物の葉表面等、複雑な凹凸形状を有する掃除か所の掃除に好便に用い得るという利点を有する反面、叩き落とされた塵埃の捕集作業が別途必要となるという難点がある。
【０００４】
この点に着目して本願発明者は、真空吸引式の掃除機の吸気パイプに取付け、該吸気パイプに吸込まれる吸気を利用して、叩き動作と併せて塵埃の捕集をも可能とした掃除具を提案している（例えば、特許文献１参照）。
【０００５】
この掃除具は、吸気パイプの先端への取付けにより該吸気パイプと連続する風路を形成する筒形の基台に、柔軟性を有する細径中空の叩き棒を多数本束ねて取付けてなり、前記基台を吸気パイプの内部に配した羽根車から伝動により動作させ、前記叩き棒の先端により掃除か所を叩き、当該か所の塵埃を叩き出す一方、叩き出されたき塵埃を、夫々の叩き棒の中空部を経て吸気パイプ内に吸引し、該吸気パイプに接続された掃除機に捕集させる構成としたものである。
【特許文献１】特開２０００−１６６８２２号公報
【発明の開示】
【発明が解決しようとする課題】
【０００６】
このように、特許文献１に開示された掃除具は、古来から使用されている「はたき」に塵埃の捕集機能を併せ持つように構成されており、掃除か所の形態を選ばずに効率的な掃除を可能とし得る優れたものであるが、叩き動作を行わせるために．吸気パイプ内部の羽根車と、この羽根車からの伝動手段を備えており、全体構成が複雑となるという問題があった。
【０００７】
この問題を解消するため、掃除機への吸気を塵埃の捕集手段としてのみ利用することも可能であるが、この場合、吸気パイプの先端に取り付けられた掃除具に叩き動作を行わせる操作が困難であり、掃除に必要な機動性に劣るという不具合がある。
【０００８】
また、掃除機の吸気パイプをそのまま用いるのではなく、吸気パイプ又は掃除機本体の吸気源に接続される軽量の吸気チューブを備え、この吸気チューブの先端に前述した構成を有する掃除具を取付けて、機動性を確保する構成とすることも可能であるが、吸気チューブの存在が叩き操作を阻害することが避けられず、十分な機動性の改善効果が得られない上、掃除範囲を拡げるために長寸の吸気チューブが必要となるという新たな不具合が発生する。
【０００９】
本発明は斯かる事情に鑑みてなされたものであり、「はたき」と同等の使用により塵埃
の叩き出しと共に捕集が可能であり、掃除か所を選ばずに簡便に使用でき、効果的な掃除を可能とする掃除具を提供することを目的とする。
【課題を解決するための手段】
【００１０】
本発明の第１発明に係る掃除具は、把手を備える基台上に可撓性を有する複数本の叩き棒を取付けてなり、前記把手を把持して前記基台と共に振り動かされる前記叩き棒により掃除か所を叩き、該掃除か所に付着堆積する塵埃を叩き出すべく用いられる掃除具において、前記叩き棒の少なくとも一部は、粘着性を有する粘着部を外表面に露出させてある粘着棒としてあることを特徴とする。
【００１１】
本発明においては、表面に粘着部が露出された粘着棒を基台と共に振り動かし、掃除か所に付着堆積する塵埃を叩き出し、叩き出された塵埃を粘着部に粘着捕集する。粘着棒の粘着部は、粘着性を有する樹脂材料を棒状に成形して構成することができ、この場合、粘着捕集された塵埃は、粘着性を損なうことなく水洗いにより除去される。
【００１２】
また第２発明に係る掃除具は、第１発明における粘着部が、前記粘着棒の外表面の複数か所に開口する窓孔から露出させてあることを特徴とし、更に第３発明に係る掃除具は、第２発明における粘着部が、前記窓孔の開口縁から段落ちされた露出面を備えることを特徴とする。
【００１３】
これらの発明においては、粘着性を有する粘着部を、粘着棒に開設された窓孔から、望ましくは、窓孔の周縁から段落ちするように露出させ、複数の粘着棒の粘着部同士が相互に粘着することを防止する。
【００１４】
また第４発明に係る掃除具は、第１〜第３発明における粘着棒が、前記基台上に複数列に並べ、各列の粘着部の露出域を長さ方向にオーバラップさせて取付けてあることを特徴とする。
【００１５】
この発明においては、複数列に並べた粘着棒の並設方向への振り動かして用いることにより、相互にオーバラップさせてある各列の粘着棒の粘着部が掃除か所に作用し、叩き出された塵埃は全ての粘着棒に効果的に粘着捕集される。
【００１６】
また第５発明に係る掃除具は、第１〜第４発明における粘着棒が、夫々の軸心回りでの回転可能に前記基台上に取り付けてあることを特徴とする。
【００１７】
この発明においては、振り動かし、及び掃除か所への叩きつけにより粘着棒が回転し、夫々の粘着部の全周が掃除か所に作用し、叩き出された塵埃は、各粘着棒の全周に効果的に粘着捕集される。
【００１８】
また第６発明に係る掃除具は、第１〜第５発明における叩き棒の残部が、先端にブラシ毛が植設されたブラシ棒としてあることを特徴とする。
【００１９】
この発明においては、基台上に取付けられた叩き棒の一部をブラシ毛を有するブラシ棒とし、ブラシ毛の作用により凹凸を有する掃除か所から塵埃を効果的に叩き出し、粘着棒の粘着捕集する。
【００２０】
更に第７発明に係る掃除具は、前記基台の内部に収納され、該基台の振り動きに伴って相互に接触し、静電気を発生する複数の樹脂ブロックを備えることを特徴とする。
【００２１】
この発明においては、掃除か所を叩くべくなされる基台の振り動きにより、該基台の内
部に収納された樹脂ブロックが相互に接触し、これにより発生する静電気の作用により掃除か所から叩き出された塵埃を引き付けて粘着棒の表面に効果的に粘着捕集する。
【発明の効果】
【００２２】
本発明の第１発明に係る掃除具においては、基台に取付けられた複数本の叩き棒の少なくとも一部が、表面に粘着部が露出された粘着棒としてあるから、基台と共に振り動かされる粘着棒により掃除か所から叩き出される塵埃を粘着捕集することができ、古来から用いられている「はたき」と同等の簡便な使用を可能としながら塵埃捕集のための作業が不要となり、掃除か所を選ばずに効率的な掃除が可能となる。
【００２３】
また本発明の第２，第３発明に係る掃除具においては、粘着棒同士が粘着せしめられる虞れが緩和され、使用中に粘着棒同士の干渉に配慮する必要はなく、良好な使用感が得られるようになる。
【００２４】
また第４，第５発明に係る掃除具においては、粘着棒に設けられた粘着部の全域を有効利用することができ、また第６発明に係る掃除具においては、掃除か所からの塵埃の叩き出しがより有効になされ、更に第７発明に係る掃除具においては、叩き出された塵埃を粘着棒に引き付けることが可能となって、より効率的な掃除が可能となる等、本発明は優れた効果を奏する。
【発明を実施するための最良の形態】
【００２５】
以下本発明をその実施の形態を示す図面に基づいて詳述する。図１は、本発明に係る掃除具の外観を示す側面図、図２は、同じく斜視図であり、これらの図に示す如く本発明に係る掃除具１は、矩形箱形をなす基台２の一面（上面）に、叩き棒としての粘着棒３，３…及びブラシ棒４，４…を取り付けて構成されている。
【００２６】
基台２の他面（下面）には、中央部に向けてテーパ状に縮幅するテーパ部20が連設されており、該テーパ部20の先端には、円筒状をなす把手21が突設されている。把手21の外周面には、該把手21を把持する使用者の手指の滑り止め作用をなすべく、他部よりも大径とされたリング部22，22…が適宜の間隔毎に一体成形されている。
【００２７】
また把手21の先端には、図示しない延長パイプを接続するための接続孔23が開設され、更に把手21の基端部周面には、周方向の一か所に開口する止め孔24（図２参照）が設けてあり、接続孔23を経て差し込まれる延長パイプの先端は、止め孔24の形成位置に達し、周面の一か所に突出する係止爪を止め孔24に係合させ、軸方向及び周方向への移動不可に一体化されるようになしてある。
【００２８】
図３は、上面側から見た基台２の斜視図である。本図に示す如く粘着棒３，３…及びブラシ棒４，４…が取付けられる基台２の上面には、所定の高さを有する鍔縁25により縁取られ、全面に亘って開口する開口部が設けてある。該鍔縁25の短辺の中央部及び長辺の２か所には、所定の長さを有して矩形の止め孔26，26…が形成されており、各止め孔26，26…の両側には、所定の深さを有して変形補助用のスリット27，27…が形成されている。このような基台２は、高強度を有する樹脂材料製の成形品として、把手21を含めて一体形成することができる。
【００２９】
粘着棒３，３…及びブラシ棒４，４…は、以上の如き基台２の上面開口部に固定される矩形平板状をなす支え板５及び押え板６を介して取り付けられる。図４は、支え板５の表面側からの斜視図、図５は、同じく裏面側からの斜視図、図６は、押え板６の表面側からの斜視図である。
【００３０】
支え板５及び押え板６は、基台２の上面開口部に嵌め込み可能なサイズを有する略同形の平板である。支え板５には、図４に示す如く、円形断面を有する複数の支持孔50，50…と矩形断面を有する複数の支持孔51，51…とが、縦横各複数列に並べて表裏に貫通形成されており、また、面内の複数か所に矩形断面を有する係止孔52，52…が表裏に貫通形成されている。
【００３１】
支持孔50，50…は、後述する粘着棒３，３…を各別に支持するための孔であり、また支持孔51，51…は、後述するブラシ棒４，４…を各別に支持するための孔であって、これらの数及び位置は、粘着棒３，３…及びブラシ棒４，４…の必要数及び必要位置に応じて適宜に選定することができる。
【００３２】
また支え板５の裏面には、図５に示す如く各支持孔50，50…の形成位置に、これらよりも大径の円筒形をなす支持筒53，53…が同軸的に囲繞するように設けられ、また各支持孔51，51…の形成位置に、これらと同形の支持枠54，54…が略直角に交叉するように設けられている。更にこのような支え板５の周縁には、基台２の鍔縁25に設けられた止め孔26，26…の夫々と対応する位置に、これらへの嵌め込みが可能な矩形の係合爪55，55…が外向きに張り出すように突設されている。
【００３３】
一方押え板６の表面には、図６に示す如く、支え板５の裏面に設けられた支持筒53，53…の夫々と整合する位置に、これらへの嵌め込みが可能な外径を有する短寸円柱形の押え突起60，60…が突設され、同じく支持枠54．54…の夫々と整合する位置に、これらへの嵌め込みが可能な短寸角柱形の押え突起61，61…が突設されている。更に、押え板６の表面には、支え板５に貫通形成された係止孔52，52…の夫々と整合する位置に、鉤型に屈曲する係止爪を先端に備える長寸の係止突起62，62…が突設されている。
【００３４】
以上の如く構成された支え板５と押え板６とは、支え板５の裏面に押え板６の表面を相互に整合するように重ね、押え板６に突設された係止突起62，62…の夫々を支え板５の係止孔52，52…に嵌め込み、夫々の係止突起62，62…先端の係止爪を係止孔52，52…の表面側周縁に係止させて一体化される。図７は、一体化された支え板５及び押え板６の斜視図である。
【００３５】
このとき、押え板６の押え突起60，60…及び61，61…は、支え板５の支持筒53，53…及び支持枠54，54…の夫々に嵌め込まれることとなり、支え板５と押え板６との一体化は、各支持筒53と押え突起60との間に粘着棒３の基部を、また各支持枠54と押え突起61との間にブラシ棒４の基部を後述の如く挾持して実現される。
【００３６】
図８は、粘着棒３の外観斜視図である。粘着棒３は、細径丸棒状の保持棒30と、該保持棒30に保持された粘着部31とを備えてなり、図８（ａ）には、粘着部31の保持前の状態が示され、図８（ｂ）には、粘着部31の保持後の状態が示されている。
【００３７】
保持棒30は、ポリプロピレン、ポリエチレン等の弾性に富む樹脂材料により所定の撓み変形が可能な外径を有して成形された棒体であり、図８（ａ）に示す如く保持棒30の軸心部には、先端に開口を有し基部に向けて延びる保持孔31が形成され、また保持棒30の基端部には、他部よりも大径化され、支え板５裏面の支持筒53への遊嵌が可能な円板形をなす座板32が同軸上に一体形成されている。
【００３８】
保持孔31は、軸長方向に離隔した複数か所（図においては４か所）にて、周方向に等配をなして開設された各複数（図においては各４つ）の窓孔33，33…により外部に連通されている。また保持孔31の先端開口の周縁には、複数本（図においては４本）支え棒34，34…が軸長方向に突設されている。
【００３９】
粘着棒３の粘着部31は、オレフィン樹脂等の高い粘着性を有する樹脂材料を、保持棒30の軸心に設けられた保持孔31内に充填固化せしめて形成されている。この粘着部31の形成は、図８（ｂ）に示す如く、保持棒30の中途部において、各窓孔33，33…の開口部から外部に露出させ、更に、保持棒30の先端部において、前記支え棒34，34…を中芯とする短寸円柱形の突出部を有して実現されている。なお、窓孔33，33…からの粘着部31の露出面は保持棒30の周面よりもわずかに内側に位置するように設定されている。
【００４０】
オレフィン樹脂は、硬化後の粘着性及び弾性を、その組成により自在にコントロールすることが可能であり、十分な粘着性と弾性とを併せて備えるオレフィン樹脂により粘着部31を形成することにより、粘着棒３の表面に、該粘着棒３の撓みを阻害することなく粘着性を持たせることができる。粘着部31の表面を保持棒30の周面よりも内側に位置させてあるのは、後述する取付け状態において相隣する粘着棒３，３同士が粘着せしめられることを防止するためである。
【００４１】
図９は、ブラシ棒４の外観斜視図である。ブラシ棒４は、粘着棒３と同様、ポリプロピレン、ポリエチレン等の弾性に富む樹脂材料により所定の撓み変形が可能な外径を有して成形された丸棒であり、該ブラシ棒４の先端には、斜めに交叉する円筒形のブラシ筒40が連設されており、このブラシ筒40には、多数本のブラシ毛41が斜め外側に向けて植設されている。またブラシ棒４の先端には、支え板５に貫通形成された支持孔51、及びこれと同形の支持枠54への嵌め込みが可能な矩形形状を有する座板42が一体形成されている。
【００４２】
図10は、粘着棒３及びブラシ棒４の取付け手順の説明図である。粘着棒３の取付けは、図10（ａ）に示す如く、支え板５に設けた支持孔50に裏面側から、先端部を先として挿通し、図10（ｂ）に示す如く、粘着棒３の基端に設けられた座板32を支持孔50を囲繞する支持筒53に遊嵌して、この後に支持筒53に嵌め込まれる押え板６の押え突起60との間に緩く挾持せしめて実現されている。このように取付けられた粘着棒３は、支持筒53内での座板32の相対回動により軸回りに遊転することができる。
【００４３】
一方ブラシ棒４の取付けは、粘着棒３とは逆に、図10（ａ）に示す如く、ブラシ棒４の基端側を先とし、該基端部に一体形成された座板42を支え板５に設けた支持孔51に表面側から挿通し、図10（ｂ）中に２点鎖線により示す如く、座板42を支え板５の裏面側に十分に突出させた位置において、軸回りに略90°回転させて引き戻し、この回転により向きを変えた座板42を、図10（ｂ）中に実線により示す如く、支え板５の裏面に設けられた支持枠54に嵌め込み、この後に支持枠54に嵌め込まれる押え板６の押え突起61との間に挾持せしめて実現されている。このように取付けられたブラシ棒４は、軸回りの回転不可に固定される。
【００４４】
以上の如く、支持孔50，50…の夫々に粘着棒３，３…を取付け、また支持孔51，51…の夫々にブラシ棒４，４…を取付け、更に、図７に示す如く支え板５と押え板６とを一体化せしめた後、これらを、支え板５を上、押え板６を下として基台２の上面開口部に嵌め込み、支え板５の周縁に張り出す係合爪55，55…を基台２の鍔縁25に設けられた止め孔26，26…に係合させることにより、本発明に係る掃除具１が図１及び図２に示す如く構成される。図11は、支え板５及び押え板６の基台２への取付け態様の説明図である。
【００４５】
粘着棒３，３…及びブラシ棒４，４…は、長さの異なるものを各複数組用い、図１に示す如く、基台２の短辺方向の一側に向けて先端高さが段階的に減少するように取り付けるのが望ましい。粘着棒３，３…の先端高さは、図中に白抜矢符にて示す如く高さが低い側から見たとき、各粘着棒３の粘着部31が露出する窓孔33，33…の形成域のオーバラップ長が可及的に少なくなるように設定されており、またブラシ棒４，４…の先端高さは、夫々
の先端のブラシ筒40に植設されたブラシ毛41の先端が、近傍に位置する粘着棒３，３…の先端と略一致するように設定されている。なお図２には、図面の煩雑化を避けるべく、最も長い粘着棒３，３…の組、及び最も短い粘着棒３，３…の組と、これらの近傍に位置するブラシ棒４，４…の組とを示し、更に各ブラシ棒４の先端のブラシ毛41の図示を省略してある。
【００４６】
以上の如く構成された本発明に係る掃除具１は、基台２の下側に突設された把手21を把持し、上側に取付けられた粘着棒３，３…及びブラシ棒４，４…を、図１中に矢符に示す如く、これらの高さ変化の方向に振り動かして所望の掃除か所を叩くように使用される。粘着棒３，３…及びブラシ棒４，４…は、前述の如く可撓性を有しており、把手21を把持してなされる振り動かしにより撓みを伴いつつ掃除か所に当接し、該掃除か所を効果的に叩くことができる。
【００４７】
本発明に係る掃除具１に備えられた粘着棒３，３…は、窓孔33，33…を介して表面に露出する粘着部31，31…を有しており、前述した叩きにより掃除か所に付着堆積する塵埃を叩き出す作用をなすと共に、叩き出された塵埃を前記粘着部31，31…に粘着せしめて捕集する作用をなす。粘着棒３，３…は、前述した高さ変化を有して取付けてあるため、夫々の粘着部31，31…は、相互にオーバラップすることなく掃除か所に当接又は近接することができ、これらによる塵埃の粘着捕集は効果的に行われる。
【００４８】
また夫々の窓孔33，33…から露出する粘着部31は、保持棒30の周面よりも内側に位置させてあるから、前述した使用状態において撓みを生じた粘着棒３，３…同士が粘着し、また粘着棒３とブラシ棒４とが粘着する虞れを回避することができ、前述した使用に支障を来す虞れはない。
【００４９】
更に、粘着棒３，３…は、軸回りでの回転を可能として基台２に取付けてあるから、これらの粘着棒３，３…は、前述した使用中に適宜に回転することとなり、各粘着棒３，３…の外周の全面に露出する粘着部31，31…を有効利用することができ、多くの塵埃を粘着捕集することが可能である。
【００５０】
一方ブラシ棒４，４…は、先端に植設されたブラシ毛41，41…を有しており、前述した使用時に、これらのブラシ毛41，41…の先端が掃除か所に当たり、該掃除か所の表面に細かい凹凸が存在する場合であってもこれらからの塵埃の叩き出しを確実に行わせることが可能となる。
【００５１】
これらのブラシ棒４，４…は、軸回りの回転不可に基台２に取付けてあるから、各ブラシ棒４は、多数の粘着棒３，３…の先端間から夫々のブラシ毛41．41…を露出させた姿勢を安定して保つことができ、前述した作用は安定してなされる。
【００５２】
このように本発明に係る掃除具１は、古来から用いられている「はたき」と同様に、把手21を把持して掃除か所を叩き、該掃除か所に付着堆積する塵埃を叩き出すべく簡易に使用することができ、このように叩き出された塵埃は、粘着棒３，３…の表面に粘着捕集されるから、この捕集のための別途の作業が不要であり、室内各部の掃除、特に、床，天井のコーナ、窓，障子の桟及びレール、各種家具の表面、室内に置かれた観葉植物の葉表面等、複雑な凹凸形状を有する掃除か所の掃除を高能率に実施することができる。
【００５３】
前述の如くオレフィン樹脂製の粘着部31を備える粘着棒３は、表面に粘着捕集された塵埃を水洗いにより除去することができ、また粘着部31の粘着性は、多数回の水洗いの後にも失われることなく維持されるから、本発明に係る掃除具１は、日常の頻繁な掃除機会において簡易に、しかも効果的に使用することができる。
【００５４】
以上の如き塵埃の捕集効果は、基台２の中空部を利用した以下の構成により更に高めることができる。図12は、捕集効果を高める構成を備える基台２の斜視図である。本図に示す基台２の特徴は、支え板５及び押え板６の取付けのための開口を有するテーパ部20の内部に、多数の樹脂ブロック７，7 …が収納されているところにある。図示の如く樹脂ブロック７は、薄肉の短寸円筒形の筒部70と、該筒部70の一側開口を閉塞する中空の半球形をなす蓋部71とを備えて構成されている。他の部分の構成は、図３に示す基台２と同一であり、対応する部分に図３と同一の参照符号を付して説明を省略する。
【００５５】
このような樹脂ブロック７を多数収納してなる基台２を備える掃除具１においては、前述した使用により基台２が振り動かされた場合、該基台２の内部において多数の樹脂ブロック７，７…が相互に接触を繰り返して動き、この接触により発生する静電気による電場が基台２の周辺に生成される。従って、粘着棒３，３…及びブラシ棒４、４…により前述の如く叩き出された塵埃は、基台２に引き付けられて粘着棒３，３…の近くに集まり、該粘着棒３，3 …により、より確実に粘着捕集されることとなる。
【００５６】
基台２内部の樹脂ブロック７，７…の材料は、相互の接触により静電気を発生し得るものであればよいが、シリコン樹脂製とするのが望ましい。また図12に示す樹脂ブロック７の形状は、薄肉円筒形の筒部70により軽量化を図り、また半球形の蓋部71により接触面積の増加を図るべく決定されているが、樹脂ブロック７は、短寸円筒、中実の球体等、適宜の形状となし得ることは言うまでもない。
【図面の簡単な説明】
【００５７】
【図１】本発明に係る掃除具の外観を示す側面図である。
【図２】本発明に係る掃除具の外観を示す斜視図である。
【図３】上面側から見た基台の斜視図である。
【図４】支え板の表面側からの斜視図である。
【図５】支え板の裏面側からの斜視図である。
【図６】押え板の表面側からの斜視図である。
【図７】一体化された支え板及び押え板の斜視図である。
【図８】粘着棒の外観斜視図である。
【図９】ブラシ棒の外観斜視図である。
【図１０】粘着棒及びブラシ棒の取付け手順の説明図である。
【図１１】支え板及び押え板の基台への取付け態様の説明図である。
【図１２】捕集効果を高める構成を備える基台の斜視図である。
【符号の説明】
【００５８】
１    掃除具
２    基台
３    粘着棒
４    ブラシ棒
５    支え板
６    押え板
７    樹脂ブロック
31    粘着部
33    窓孔
【図１】
2005111183.tif 000003
【図２】
2005111183.tif 000004
【図３】
2005111183.tif 000005
【図４】
2005111183.tif 000006
【図５】
2005111183.tif 000007
【図６】
2005111183.tif 000008
【図７】
2005111183.tif 000009
【図８】
2005111183.tif 000010
【図９】
2005111183.tif 000011
【図１０】
2005111183.tif 000012
【図１１】
2005111183.tif 000013
【図１２】
2005111183.tif 000014